(57)【特許請求の範囲】
【請求項１】
一対の側壁（２，３）と、後壁（４）と、底部（５）と、フロントパネル（６）とを備える家具用の組立式引き出し（１）であって、
前記側壁（２，３）及び前記後壁（４）には、端部開口（７，８）が設けられ、
前記端部開口（７，８）は、結合手段（１０，１１）の結合を可能にするように適合され、
前記結合手段（１０，１１）は、可動係合手段（２５，２６，２７，２８）によって前記端部開口（７，８）内にロックされるように適合され、
前記可動係合手段（２５，２６，２７，２８）は、前記側壁（２，３）及び前記後壁（４）の前記端部開口（７，８）内において、前記可動係合手段の押しつけ結合又は形状結合のために移動可能であり、
移動可能な前記可動係合手段は、少なくとも１つの偏心係合要素（２５，３０）を有し、
前記偏心係合要素（２５，３０）は、前記後壁及び前記側壁の前記端部開口（７，８）内における前記可動係合手段の押しつけ結合又は形状結合のために用いられる、
ことを特徴とする、組立式引き出し。
【請求項２】
前記側壁（２，３）及び前記後壁（４）には、その延伸の長手方向の軸のそれぞれに沿って延在する側面が設けられている組立式引き出しにおいて、前記側壁（２，３）及び前記後壁（４）の前記側面には、開口及び／又は機械加工を有しないことを特徴とする、請求項１に記載の組立式引き出し。
【請求項３】
前記結合手段（１０，１１）は、一対の後部コーナーコネクタ（１０）と、一対のフロントコネクタ（１１）とを有し、
前記後部コーナーコネクタ（１０）は、前記側壁（２，３）と前記後壁（４）との間の結合に用いられ、
前記フロントコネクタ（１１）は、前記フロントパネル（６）を前記側壁（２，３）に結合させるために用いられる、
ことを特徴とする、請求項１又は２に記載の組立式引き出し。
【請求項４】
前記後部コーナーコネクタ（１０）には、前記可動係合手段を収容するシート（２７）が設けられていることを特徴とする、請求項３に記載の組立式引き出し。
【請求項５】
前記フロントコネクタ（１１）には、前記可動係合手段を収容するシート（２８）が設けられていることを特徴とする、請求項３に記載の組立式引き出し。
【請求項６】
前記後部コーナーコネクタ（１０）及び前記フロントコネクタ（１１）の前記可動係合手段は、前記側壁（２，３）及び／又は前記後壁（４）内に係合可能なネジ手段（２５’）を有することを特徴とする、請求項３に記載の組立式引き出し。
【請求項７】
付加的な接続手段（１６）を備え、
前記接続手段（１６）は、前記側壁（２，３）と前記組立式引き出しの前記後壁（４）との結合を可能にするように適合されている、
ことを特徴とする、請求項１に記載の組立式引き出し。
【請求項８】
前記フロントパネル（６）に固定可能であり、前記フロントコネクタ（１１）と嵌合可能な第１フロント結合手段（１２）を備えることを特徴とする、請求項３に記載の組立式引き出し。
【請求項９】
組立式引き出しの一対の側壁（２，３）と、後壁（４）と、底部（５）と、フロントパネル（６）とから開始し、前記組立式引き出しの前記側壁（２，３）と前記後壁（４）とを結合させるため、結合手段（１０，１１）を前記側壁および前記後壁の端部開口（７，８）内に結合させるステップと、
可動係合手段（２５，３０）によって前記結合手段を適当な位置にロックし、前記可動係合手段（２５，３０）は、前記結合手段（１０，１１）と、前記側壁（２，３）および前記後壁（４）の前記端部開口（７，８）との間の押しつけ結合又は形状結合を可能にするように適合された、前記可動係合手段（２５，３０）によって前記結合手段を適当な位置にロックするステップと、
前記底部（５）を前記側壁（２，３）に取り付けるステップと、
前記フロントパネル（６）に向かうように適合された前記側壁（２，３）の端部に配置された前記結合手段（１１）に、前記フロントパネル（６）を固定するステップと、を含み、
移動可能な前記可動係合手段は、少なくとも１つの偏心係合要素（２５，３０）を有し、
前記偏心係合要素（２５，３０）は、前記後壁及び前記側壁の前記端部開口（７，８）内における前記可動係合手段の押しつけ結合又は形状結合のために用いられることを特徴とする、
組立式引き出しの組立方法。
【発明の詳細な説明】
【技術分野】
【０００１】
本発明は、家具用の組立式引き出し及びその引き出しの組立方法に関する。
【背景技術】
【０００２】
知られているように、家具分野において、組立式引き出しが利用されている。このタイプの引き出しは、金属材料製の後壁及び側壁と、木材又は他の材料製の底面及びフロントパネルとを有する。
【０００３】
側壁を引き出しのフロントパネル及び後壁に接続するため、通常、それぞれフロントコネクタとコーナーコネクタとが用いられ、フロントコネクタ及びコーナーコネクタは、結合用部品を有し、これらの結合用部品は、引き出しを構成する部品の簡単且つ迅速の組立を可能にするように後壁及び側壁の対応する端部開口に挿入することができる。
【発明の概要】
【発明が解決しようとする課題】
【０００４】
コネクタと引き出しの壁との間の接続は、部品を簡単に押し込んで結合することによって行うことができる。しかしながら、特に引き出しが詰まっているとき、高い応力が生じる場合に、このようなタイプの押しつけ結合又は係合は、引き出しを安定な組立状態に維持するには不十分の可能性がある。
【０００５】
実質的に、引き出しを構成するいくつかの要素が脱離する可能性がある。
【０００６】
前述した問題を克服するため、コネクタには、タブ又は他の弾性保持手段を設けることができる。当該タブ又は他の弾性保持手段は、スナップアクションによって、引出しの側壁及び後壁の側部に設けられ、適合させた開口に係合することができる。
【０００７】
しかしながら、前記解決法は、引き出しを組立状態に保持するという観点から見れば有効であるが、側方開口を規定するために引き出しの側壁及び後壁に多数の機械加工を施す必要がある。更に、そのような側方開口の存在は審美的に好ましくないものである。
【課題を解決するための手段】
【０００８】
本発明の目的は、金属材料製の後壁及び側壁を有しているが、側方開口を有しない組立式引き出しを考案することであって、それによって、それらの壁に追加的な機械加工を施す必要がなくなる。その結果、引き出しの全体的な美的外観に不利な影響を及ぼさないとともに、高い応力の場合でも引き出しを安定に組み立てることができる。
【０００９】
前記目標内において、本発明の１つの目的は、簡単且つ迅速な方法で組み立てることができる家具用の組立式引き出しを考案することである。
【００１０】
本発明の別の目的は、信頼性が高く、容易かつ実用的に実施され、低コストである家具用の組立式引き出しを考案することである。
【００１１】
この目的及び以下でより明らかになるこれら及び他の目的は、家具用の組立式引き出しによって達成される。当該組立式引き出しは、
一対の側壁と、後壁と、フロントパネルとを備える組立式引き出しであって、
前記側壁及び前記後壁には、端部開口が設けられ、
前記端部開口は、結合手段の結合を可能にするように適合され、
前記結合手段は、係合手段によって前記端部開口内にロックされるように適合され、
前記係合手段は、前記側壁及び前記後壁の前記端部開口内において、前記可動係合手段の押しつけ結合又は形状結合のために移動可能である、
ことを特徴とする組立式引き出しである。
【００１２】
本発明のさらなる特徴及び利点は、添付の図面における限定されない例によって示される。本発明に係る組立式引き出しの好ましいが限定的ではない実施形態の説明からより明らかになるであろう。
【図面の簡単な説明】
【００１３】
【図１】本発明に係る組立式引き出しの斜視図である。
【図２】図１の組立式引き出しの部分分解斜視図である。
【図３】図１及び図２の分解斜視図である。
【図４】本発明に係る組立式引き出しのコーナー結合要素の詳細斜視図である。
【図５】本発明に係る組立式引き出しの別のフロント結合要素の詳細斜視図である。
【図６】本発明に係る組立式引き出しの２つのコーナー要素の結合の分解斜視図である。
【図７】本発明に係る組立式引き出しの２つのフロント要素の結合の分解斜視図である。
【図８】第１挿入位置にある、図７に示された２つの要素の斜視図である。
【図９】第２結合位置にある、図７に示された２つの要素の別の斜視図である。
【図１０】本発明に係る組立式引き出しの部分断面側視図である。
【図１１】可動係合手段が非係合位置にある、本発明に係る引き出しの側壁の断面図である。
【図１２】本発明に係る引き出しの後壁の断面図である。
【図１３】係合手段が回転結合位置にある、図１１の断面図である。
【発明を実施するための形態】
【００１４】
図面を参照すれば、全体的に参照符号１で示されている本発明に係る引き出しは、一対の側壁２，３と、後壁４と、底部５と、前壁６とを備えている。
【００１５】
好適的には、側壁は、端部開口又はキャビティを規定する中空の断面を有する金属材料製のプロフィール壁（profiled walls）である。しかしながら、代替的に壁がプラスチック材料、木材などの他の材料で作製される可能性は排除されない。
【００１６】
端部開口は、側壁２，３及び後壁４に設けられている。
【００１７】
図面において、側壁の端部開口は参照符号７で示され、後壁の端部開口は参照符号８で示されている。
【００１８】
側壁２，３及び後壁４は、それぞれの長手方向軸に沿って延在する側面を有し、本発明によれば、これらの面には開口及び／又は機械加工を有していない。具体的には、壁全体の長手方向軸に対して直角的に伸びる軸を有する開口又は突起部は設けられていない。
【００１９】
側壁を後壁４及び前壁６に相互に結合させるため、結合手段が設けられている。当該結合手段は、側壁２，３と後壁４との間の結合部に設けられたコーナー要素１０と、側壁２及び３を前壁６に結合させるために設けられたフロントコネクタ１１とを備えている。
【００２０】
フロントコネクタ１１は、フロントパネル６の壁と一体的に配置された前部結合手段１２によって係合されている。
【００２１】
好適的には、側壁２及び３は、引き出しの底部５の結合を可能にするように適合された溝１５を有する。
【００２２】
好ましくは、壁２，３及び後壁４が非常に高いとき、後部コーナーコネクタ１０は、コーナー要素１６に結合される。コーナー要素１６は、後壁４の端部キャビティ８及び側壁２及び３の端部キャビティ１８内に挿入される。
【００２３】
対照的に、コーナーコネクタ１０は、一方の側において、本発明に係る引き出しの側壁２及び３の端部開口７に挿入され、且つ本発明に係る引き出しの後壁４の中央溝２０に挿入される。
【００２４】
連結手段（すなわち、コーナー要素１０およびフロント要素１１）をロックするために、本発明に係る引き出しは、例えば、スクリュードライバー用の溝付き頭の形態の制御要素を有する可動係合手段を有する。
【００２５】
制御要素を有する可動係合手段は、好ましくは、偏心係合要素２５を備え、偏心係合要素２５は、回転的に移動可能である。また、フロントコネクタ１１及び側壁２，３の開口７に挿入されるコーナーコネクタ１０の部品について、偏心係合要素２５は、例えば、三つ葉ネジのようなネジ手段２５’の形態である。ネジ手段２５’は、締め付けられたときに、部品のより堅固な結合を得るように引っ張り力を発生する。ヘッド２６は、コーナーコネクタ１０（ここでは参照符号２７で示す）及びフロントコネクタ１１（ここでは参照符号２８で示す）に規定され、適合されたシート内で回転するように適合され、また、係合手段の回転に対してストローク制限止め（stroke limiting stop）を規定するように、例えば、半径方向の突起部又はくぼみ２６’を有するように便利に成形されている。
【００２６】
ヘッド２６は、このようなシート２７及び２８内で回転するように適合されており、それらの形状によって、ネジ手段２５’は、コーナーコネクタ１０及びフロントコネクタ１１に対して、端部開口７の内側輪郭に噛み合う。
【００２７】
後壁４と係合するコーナーコネクタ１０の部品に対して、可動係合手段２５は、好ましくは、ねじ切りを有してもよく、有しなくてもよい偏心係合面３０を有する。偏心係合面３０は、後壁４の中央溝２０の上面２０’に係合することができる。この場合にも、ヘッド２６は、係合手段の回転に対してストローク制限止めを規定するために、例えば、半径方向の突起部又はくぼみ２６’を有するように便利に輪郭成形されている。
【００２８】
フロントパネル６の結合手段１２は、例えば、フロントパネル６に予め取り付け可能な要素の形態であり、一旦フロントコネクタ１１が側壁２及び３に結合されると、フロントコネクタ１１内に結合することが可能なように適合されている。
【００２９】
好ましくは、長手方向において保持するように、結合要素１２は、横溝１２’を有する。当該横溝１２’は、図８及び図９に示された頂部から下向きへの摺動運動によってフロントコネクタ１１の内部突起１１’に係合するように垂直に伸びている。更に、結合要素１２は、後方側において、弾性保持歯部（elastic retainer tooth）１２’’を有し、弾性保持歯部１２’’は、フロントコネクタ１１内の横方向リブ１１’’に係合することができる。このようにして、部品を堅固に保持し、プリセット（preset）及びフロントパネル６に非常に大きな上向きの応力が加えられた場合のみに、脱離が可能になる。
【００３０】
実質的に、本発明に係る組立式引き出しは、以下のように組み立てられる。まず、作業者は、引き出しの側壁２，３と、後部パネル又は後壁４と、フロントパネル６と、底部５とを配置する。この時点で、作業者は、これらの壁内の連結手段を可動係合手段２５’及び３０に締め付けることによって、後部コーナーコネクタ１０及びフロントコネクタ１１の形態の連結手段を側壁２，３内に結合させる。
【００３１】
可動係合手段は、側壁２，３の端開口部内に、及び後壁４の中央溝２０内に、押しつけ結合及び／又は形状結合による係合を発生させる。
【００３２】
続いて、操作者は、底部パネル５を溝１５に挿入し、底部パネル５を側壁に取り付ける。最後に、フロントコネクタ１１内にフロント結合手段１２を結合させることによってフロントパネル６を取り付ける。
【００３３】
実際には、本発明に係る引き出しは、簡単且つ迅速に組み立てることを可能にし、側壁における横方向の開口を必要とすることなく、代わりにユーザに実質的に見えない端部開口を利用する点で、設定された目標及び目的を完全に達成したことが明らかになっている。
【００３４】
このようにして考案された組立式引き出しは、多数の修正及び変形が可能であり、それらの全ては、添付の特許請求の範囲内に含まれる。更に、全ての詳細は、技術的に同等の要素によって代えてもよい。
【００３５】
実際に、使用される材料、及び不特定の寸法と形状とは、要求及び技術水準に応じて任意に採用されてもよい。
【００３６】
本出願は、イタリア特許出願番号第ＭＩ２０１５Ａ０００６１７（１０２０１５９０２３４７５１５）の開示に基づいて優先権を主張し、その全体の内容が参照により本明細書に組み込まれる。
【００３７】
特許請求の範囲に記載された技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
0006770531.tif 000002
【図２】
0006770531.tif 000003
【図３】
0006770531.tif 000004
【図４】
0006770531.tif 000005
【図５】
0006770531.tif 000006
【図６】
0006770531.tif 000007
【図７】
0006770531.tif 000008
【図８】
0006770531.tif 000009
【図９】
0006770531.tif 000010
【図１０】
0006770531.tif 000011
【図１１】
0006770531.tif 000012
【図１２】
0006770531.tif 000013
【図１３】
0006770531.tif 000014